(57)【要約】      （修正有）【課題】コンテナ内に外気を通過させ、植物の栽培環境を良くする栽培袋を提供する。【解決手段】格子状に織られた栽培袋１は、開口部２に口紐を通し、閉塞部には四角形状の平らな底面３１が形成され、コンテナ内への通気性及び通水性を良くし、根の発育環境及び根腐れ防止並びに開口部２の口紐を引いて閉めることにより小さい植物及び苗木などの防寒対策及び夏の日よけ対策、雨対策ができることにより植物の栽培に役立つ。【選択図】図１
0003229969.tif 000002
【実用新案登録請求の範囲】
【請求項１】
筒状体の下端部が閉塞され上端部に開口部を有し、該開口部より土を投入して植物の栽培として用いられる栽培袋において、格子状に織られて成形され、四角形状の底面が形成されたことを特徴とする栽培袋。
【請求項２】
請求項１に記載の栽培袋において、下端折畳部が折り畳まれて縫い合わされて閉塞部とされた前記下端部を備え、前記閉塞部が広げられて四角形状の底面が形成されたことを特徴とする栽培袋。
【請求項３】
請求項１から２のいずれか１項に記載の栽培袋において、上端折畳部が折り曲げられ縫い合わされた前記開口部と、該開口部に口通し孔が設けられ前記開口部を閉じるための口紐が前記口通し孔へ挿入されたことを特徴とする栽培袋。
【請求項４】
請求項１から３のいずれか１項に記載の栽培袋において、前記閉塞部と左右の稜線とによる頂点が内側に折り畳まれて前記四角形状が形成されたことを特徴とする栽培袋。
【請求項５】
請求項１から４のいずれか１項に記載の栽培袋において、折り畳まれた部分の側面が縫い合わされたことを特徴とする栽培袋。
【請求項６】
請求項１から５のいずれか１項に記載の栽培袋において、前記開口部から前記土が投入され、前記底面の周囲に角部が形成され前記底面が平面とされたことを特徴とする栽培袋。
【考案の詳細な説明】
【技術分野】
【０００１】  本考案は、袋の中に土を詰めて植物の栽培に用いる栽培袋に関する。
【背景技術】
【０００２】  従来、植木鉢、プランター、不織布などのコンテナに土を入れて、花・野菜などの植物を育てている。
【先行技術文献】
【特許文献】
【０００３】
【特許文献１】実開平５−３７０４３
【特許文献２】特開２０１２−１２５１９３
【特許文献３】特開平８−２５２０３２号公報
【考案の概要】
【考案が解決しようとする課題】
【０００４】  上記従来技術において、植木鉢、プランターなどの固形のコンテナは容器内に気体を通過させない構造のため、容器内の土が容器外側の空気と遮断され容器内の土への空気の流れが閉ざされるため根の発育に妨げとなり植物が育つための環境に問題があった。【０００５】  また、容器内の土で容器底部の排水口が詰まっていることを知らずに、土に水を過剰に与えると、余分な水を排水できないで土に含ませた状態が続き根腐れを起こす原因になっていた。【０００６】  さらに、固形のコンテナは形状を維持したまま保管しなければならないため、保管する場所の面積が広く必要なため問題になっていた。【０００７】  特許文献１から３に記載のものは、不織布の栽培袋のため外側面の不織布製のシートの生地の中にゴミ及び雨により土や泥などの汚れが跳ねて不織布内に入り込み、そのゴミ及び汚れを容易に除去できないため問題があった。【０００８】  また栽培袋の外側面の不織布製のシート生地に入り込んだゴミも容易に除去できないため外見にも良くなかった。【０００９】  さらに、腐った野菜や果樹などが不織布に入り込むと不衛生的であり、植物の栽培には適さないという問題がある。【００１０】  さらに、屋外で栽培しているときは開口部を閉塞することができないため、冬の防寒対策及び霜よけ、または夏の直射日光による土表面の乾燥及び熱から守ることに問題があった。
【課題を解決するための手段】
【００１１】  上記目的を達成するため、本考案は、下端部が閉塞され上端部に開口部を有し、該開口部より土を投入して植物の栽培として用いられる栽培袋において、格子状に織られて成形され、上端折畳部が折り曲げられ縫い合わされ、口通し孔に口紐が挿入され筒状になった前記開口部と、下端折畳部が折り畳まれて縫い合わされて閉塞部とされた前記下端部と、を備え、前記閉塞部が広げられて四角形状の平らな底面が形成されたものである。【００１２】  また、上記の栽培袋において、前記閉塞部と左右の稜線とによる頂点が内側に折り畳まれて前記四角形状が形成されたことが好ましい。【００１３】  さらに、折り畳まれた部分の側面が縫い合わされたことが好ましい。【００１４】  さらに、前記開口部から前記土が投入され、前記底面に角部が形成され平らな底面の栽培袋とされることが好ましい。【００１５】  栽培袋は薄い樹脂製の生地を細く切断されたものを格子状又は網目状に織られたものが好ましい。【００１６】  開口部は口紐を引くと閉塞ができるようにして、冬の寒さ及び夏の暑さ対策並びに大雨時の苗又は挿し木などの被害防止ができるようにすることが望ましい。
【考案の効果】
【００１７】  本考案によれば、下端部は折り畳まれて縫い合わせて閉塞部とされ、閉塞部が広げられて四角形状の底面が形成されたことで安定して自立できるようになり、網目状又は格子状に織られた生地は通水性と通気性が優れ植物の根の環境が良くなり、根腐れもしにくくなり大きく元気な植物が栽培できる。【００１８】  さらに、開口部は折り曲げられて縫い合わされ、土を投入後に開口部を折り曲げて内容量を調整し、多い土量又は少ない土量で栽培袋することができる。【００１９】  また、栽培袋を保管する際は、折りたたんで積み重ね、狭いところへの保管に適したものとすることができ、栽培袋が不必要になったときは可燃物として処分ができる。【００２０】  また、屋外で栽培しているときは栽培袋の開口部を閉めることができるため、冬の霜よけ及び防寒対策及び夏の直射日光を遮り土表面の乾燥並びに苗木・種まき後に大雨から守ることができる。【００２１】  また、薄い樹脂製の生地で格子状に織られた栽培袋本体の内部にはゴミが入る余地がないためごみの除去の手間が省けて衛生的に植物の栽培ができる。【００２２】  また、土を入れた栽培袋は四角状になり安定して自立するため、栽培袋同士を密着して設置ができるので、縁石としても利用ができ、花や野菜などを栽培することもできる。【００２３】  さらに、前記縁石で囲んだ内側に土を入れ花や野菜などが栽培できる。
【図面の簡単な説明】
【００２４】
【図１】本考案の実施形態に係る栽培袋の主要部を示す斜視図。
【図２】実施形態に係る栽培袋における底部の折りかたの説明図。
【図３】実施形態に係る栽培袋（土投入前）の正面図。
【図４】実施形態に係る栽培袋（土投入前）の斜視図。
【図５】実施形態に係る栽培袋を底部から見た斜視図。
【図６】実施形態に係る栽培袋の側面図。
【図７】実施形態に係る栽培袋を格子状に編んだ部分の説明図。
【考案を実施するための形態】
【００２５】  薄く細い樹脂製の生地を格子状に編まれて筒状のもの又は板状のものにしてから筒状に加工した開口部に、上端折畳部が折り曲げられ縫い合わされて口通し孔に口紐が挿入され、前記口紐を引いて前記開口部を閉じることを可能とし、前記筒状になった下端折畳部が折り畳まれて縫い合わされて閉塞部とされた前記下端部の閉塞部が広げられて四角形状の平らな底面が形成されて、栽培袋の中に土を入れると底面が四角状となる。
【実施例】
【００２６】  以下に、添付図面に従って詳細に説明する。この実施形態により考案が限定されるものではなく、実施形態における構成要素には当業者が容易に想定できるもの、あるいは実質的に同一のものも含まれる。【００２７】  図１は、薄く細い樹脂製の生地が縦・横の格子状に織れた栽培袋に土を投入できるように底部を折りこんで膨らませた状態の栽培袋を示し（底部を上にして示している）、図２は、栽培袋１の底部を角にするための折り込み方法を示している。図３、４は土を開口部２から投入する前の状態を示している。栽培袋１は筒状であり、その生地は、環境面からは天然植物繊維とされる麻袋、あるいは耐久性のあるＰＥ（ポリエチレン）製のＵＶ（紫外線）カット加工されたものが望ましい。耐久性は、重さ約２０ｋｇの土を入れ、開口部２を閉めた状態で、高さ１ｍのところから１０回落として、栽培袋１から土が出ないことが好ましい。【００２８】  図３に示した栽培袋１は、上端部３に上端折畳部４が設けられ、上端折畳部４は折り曲げられ、上端縫合部５が糸で縫い合わせられて口通し孔６が筒状に作成されている。また、開口部２の口通し孔６の左右は図４に示すように、それぞれ切り込みが入れられ、左側に左切れ込み部７、右側に右切れ込み部８が設けられる。口紐１０は、左切れ込み部７から口通し孔６へ挿入され、１周半して反対側の右切れ込み部８へ突き出され、口紐左端９、口紐右端１１が栽培袋１の外側へ伸びている。この口紐左端９と、口紐右端１１とを引っ張ることにより、開口部２が巾着の口を絞るように閉塞される。または口紐左端９又は口紐右端１１のいずれか片方が口通し孔６へ１周挿入され、挿入された口紐の先端を引っ張ることにより、開口部２が巾着の口を絞るように閉塞されるものでもよい。【００２９】  栽培袋１の下端部１３は、下端折畳部１４が設けられ、２枚が重なるように折り畳まれて下端縫合部１５で縫い合わせられ、閉塞部１６とされる。栽培袋１の底部を直方体形状にするため、図２に示すように、底面となる閉塞部１６から図面視上下方向に約１０ｃｍを広げ折り込むことにより、角部１７、１８を形成する。さらに、図面視左側の閉塞部１６と左稜線１９とが交わることによる頂点２０は、左角折畳線２１で内側へ折り畳んで重ねられる。折り畳まれた先端２２は、左角折畳線２１より内側に約１０ｃｍの位置となる。折り重ねられた部分は、側面の左縫合線２３で縫い合わせる。左稜線１９は消滅して、新たに左稜線２４が生じる。【００３０】  右側も同様であり、閉塞部１６と右稜線２５とによる頂点２６を右角折畳線２７で折り畳む。折り畳まれた先端２８は、右角折畳線２７より内側に約１０ｃｍの位置となる。折り重ねられた部分は、右縫合線２９で縫い合わせる。右稜線２５は消滅して新たに右稜線３０が生じる。【００３１】  また、栽培袋１は、四角形状の底面３１が形成された角底付きの栽培袋１となる。なお、四角形状の底面３１が形成され自立されれば良く、余裕部が付いた横ガゼットタイプ、あるいは底部にマチのある形状とされた底ガゼットタイプでも良い。【００３２】  図５は、四角形状（長方形状）の底面３１が形成された状態の栽培袋１を下から見た斜視図であり、図６はその正面図である。【０���３３】  図７は、薄く細い平らな樹脂製の生地を経糸と緯糸が１本ずつ交互に交差して格子状に織られたものである。【００３４】  以上、本実施例による栽培袋１によれば、平らな薄い生地で土のう袋のように格子状に織られた角底の栽培袋１は、樹脂製（ポリエチレン・ポリプロピレンなど）の素材であるので、袋を安価に作製でき、栽培袋１で育てられた植物の根は外部と空気が通えるようになったため、根の環境が良くなり、根腐れもしにくい。
【符号の説明】
【００３５】１    栽培袋
２    開口部
３    上端部
４    上端折畳部
５    上端縫合部
６    口通し孔
７    左切れ込み部
８    右切れ込み部
９    口紐左端
１０    口紐
１１    口紐右端
１３    下端部
１４    下端折畳部
１５    下端縫合部
１６    閉塞部
１７、１８    角部
１９、２４    左稜線
２０、２６    頂点
２１    左角折畳線
２２、２８    先端
２３    左縫合線
２５、３０    右稜線
２７    右角折畳線
２９    右縫合線
３１    底面
３２    経糸
３２    緯糸
【図１】
0003229969.tif 000003
【図２】
0003229969.tif 000004
【図３】
0003229969.tif 000005
【図４】
0003229969.tif 000006
【図５】
0003229969.tif 000007
【図６】
0003229969.tif 000008
【図７】
0003229969.tif 000009
【手続補正書】
【提出日】令和2年10月1日(2020.10.1)
【手続補正１】
【補正対象書類名】実用新案登録請求の範囲
【補正対象項目名】請求項４
【補正方法】変更
【補正の内容】
【請求項４】
請求項２に記載の栽培袋において、前記閉塞部と左右の稜線とによる頂点が内側に折り畳まれて前記四角形状が形成されたことを特徴とする栽培袋。